【手続補正書】
【提出日】平成18年10月31日(2006.10.31)
【手続補正１】
【補正対象書類名】明細書
【補正対象項目名】特許請求の範囲
【補正方法】変更
【補正の内容】
【特許請求の範囲】
【請求項１】 次式（Ｉ）
【化１】
2002530402.tif 000001
〔式中、式（Ｉ）の反復単位に、次式（ＩＩ）
【化２】
2002530402.tif 000002
で表される基の少なくとも１個が存在し、ｎは１ないし１００の数であり、Ｇ1、Ｇ2、Ｇ3およびＧ4は互いに独立して炭素原子数１ないし１８のアルキル基または炭素原子数５ないし１２のシクロアルキル基を表すか、あるいは基Ｇ1およびＧ2、ならびに基Ｇ3および
Ｇ4は互いに独立して、それらが結合している炭素原子と一緒になって炭素原子数５ない
し１２のシクロアルキル基を形成し、Ｒ1は水素原子、炭素原子数１ないし１８のアルキ
ル基、オキシル基、−ＯＨ、−ＣＨ2ＣＮ、炭素原子数３ないし６のアルケニル基、炭素
原子数３ないし８のアルキニル基、未置換の、またはフェニル基上で炭素原子数１ないし４のアルキル基もしくは炭素原子数１ないし４のアルコキシ基１、２もしくは３個により置換された炭素原子数７ないし１２のフェニルアルキル基、炭素原子数１ないし８のアシ
ル基、炭素原子数１ないし１８のアルコキシ基、炭素原子数５ないし１２のシクロアルコキシ基、未置換の、またはフェニル基上で炭素原子数１ないし４のアルキル基もしくは炭素原子数１ないし４のアルコキシ基１、２もしくは３個により置換された炭素原子数７ないし１２のフェニルアルコキシ基、炭素原子数１ないし１８のアルカノイルオキシ基、（炭素原子数１ないし１８のアルコキシ）カルボニル基、グリシジル基または基−ＣＨ2Ｃ
Ｈ（ＯＨ）（Ｇ）（式中、Ｇは水素原子、メチル基またはフェニル基を表す。）を表わし、Ｒ2は炭素原子数２ないし１４のアルキレン基または基−ＣＲ2'（Ｒ2''）−（Ｒ2'およびＲ2''は互いに独立して水素原子、炭素原子数１ないし１８のアルキル基または炭素原
子数５ないし１２のシクロアルキル基を表す。）を表し、Ｒ3'およびＲ3''は互いに独立
して水素原子、炭素原子数１ないし１８のアルキル基、酸素原子により中断された炭素原子数２ないし１８のアルキル基、または炭素原子数５ないし１２のシクロアルキル基を表し、Ｒ4は炭素原子数２ないし１４のアルキレン基、酸素原子もしくはイオウ原子により
中断された炭素原子数４ないし１４のアルキレン基、炭素原子数５ないし７のシクロアルキレン基、炭素原子数５ないし７のシクロアルキレンジ（炭素原子数１ないし４のアルキレン）基、炭素原子数１ないし４のアルキレンジ（炭素原子数５ないし７のシクロアルキレン）基またはフェニレンジ（炭素原子数１ないし４のアルキレン）基を表わし、Ｒ5'およびＲ5''は互いに独立して水素原子、炭素原子数１ないし１８のアルキル基、炭素原子
数３ないし１８のアルケニル基、未置換の、または炭素原子数１ないし４のアルキル基１、２もしくは３個により置換された炭素原子数５ないし１２のシクロアルキル基、未置換の、またはフェニル基上で炭素原子数１ないし４のアルキル基１、２もしくは３個により置換された炭素原子数７ないし１２のフェニルアルキル基、テトラヒドロフルフリル基、式（ＩＩ）で表される基、または２、３もしくは４位において、−ＯＨ、炭素原子数１ないし８のアルコキシ基、ジ（炭素原子数１ないし４のアルキル）アミノ基もしくは次式（ＩＩＩ）
【化３】
2002530402.tif 000003
（式中、Ｅは直接結合、−Ｏ−、−ＣＨ2−、−ＣＨ2ＣＨ2−または＞Ｎ−ＣＨ3を表す。）で表される基により置換された炭素原子数２ないし４のアルキル基を表し、Ｘは−ＯＲ6、−ＳＲ6、−Ｎ（Ｒ7）（Ｒ8）または次式（ＩＶ）
【化４】
2002530402.tif 000004
で表される基を表わし、Ｒ6、Ｒ7およびＲ8は、互いに独立して水素原子、炭素原子数１
ないし１８のアルキル基、炭素原子数３ないし１８のアルケニル基、未置換の、または炭素原子数１ないし４のアルキル基１、２もしくは３個により置換された炭素原子数５ないし１２のシクロアルキル基、未置換の、または炭素原子数１ないし４のアルキル基もしくは炭素原子数１ないし４のアルコキシ基１、２もしくは３個により置換されたフェニル基、未置換の、またはフェニル基上で炭素原子数１ないし４のアルキル基１、２もしくは３個により置換された炭素原子数７ないし１２のフェニルアルキル基、テトラヒドロフルフリル基、または２、３もしくは４位において、炭素原子数１ないし８のアルコキシ基、ジ
（炭素原子数１ないし４のアルキル）アミノ基もしくは式（ＩＩＩ）で表される基により置換された炭素原子数２ないし４のアルキル基を表すか、あるいは−Ｎ（Ｒ7）（Ｒ8）は付加的に式（ＩＩＩ）で表される基を表し、Ｔは−Ｏ−または＞Ｎ−Ｒ9を表し、そして
Ｒ9は水素原子、炭素原子数１ないし１８のアルキル基、炭素原子数２ないし１８のヒド
ロキシアルキル基、炭素原子数３ないし１８のアルケニル基、未置換の、または炭素原子数１ないし４のアルキル基１、２もしくは３個により置換された炭素原子数５ないし１２のシクロアルキル基、未置換の、またはフェニル基上で炭素原子数１ないし４のアルキル基１、２もしくは３個により置換された炭素原子数７ないし１２のフェニルアルキル基、テトラヒドロフルフリル基、式（ＩＩ）で表される基、または２、３もしくは４位において、炭素原子数１ないし８のアルコキシ基、ジ（炭素原子数１ないし４のアルキル）アミノ基もしくは式（ＩＩＩ）で表される基により置換された炭素原子数２ないし４のアルキル基を表し、基Ｒ1、基Ｒ2、基Ｒ3'、基Ｒ3''、基Ｇ1、基Ｇ2、基Ｇ3または基Ｇ4は互い
に独立して同一の、または異なる意味を有し、そして式（Ｉ）の個々の反復単位において、基Ｘ、Ｒ4、Ｒ5'およびＲ5''はそれぞれ同一の、または異なる意味を有し、ただし、Ｘが式（ＩＶ）（Ｔは＞Ｎ−Ｒ9を表す。）で表される基である場合、基Ｒ5'およびＲ5''の一方は水素原子とは異なる。〕で表される化合物。
【請求項２】 光、熱または酸化により誘導される分解を受け易い有機材料、および請求
項１記載の式（Ｉ）で表される化合物の少なくとも一種を含む組成物。
【請求項３】 請求項１記載の式（Ｉ）で表される化合物の少なくとも一種を含む記録材
料。
【請求項４】 光、熱または酸化により誘導される分解に対して有機材料を安定化する方
法であって、前記有機材料中に請求項１記載の式（Ｉ）で表される化合物の少なくとも一種を配合することからなる方法。
【請求項５】 次式（Ｚ−１）
【化５】
2002530402.tif 000005
〔式中、Ｇ1、Ｇ2、Ｇ3およびＧ4は互いに独立して炭素原子数１ないし１８のアルキル基または炭素原子数５ないし１２のシクロアルキル基を表すか、あるいは基Ｇ1およびＧ2、ならびに基Ｇ3およびＧ4は互いに独立して、それらが結合している炭素原子と一緒になって炭素原子数５ないし１２のシクロアルキル基を形成し、Ｒ1は水素原子、炭素原子数１
ないし１８のアルキル基、オキシル基、−ＯＨ、−ＣＨ2ＣＮ、炭素原子数３ないし６の
アルケニル基、炭素原子数３ないし８のアルキニル基、未置換の、またはフェニル基上で炭素原子数１ないし４のアルキル基もしくは炭素原子数１ないし４のアルコキシ基１、２もしくは３個により置換された炭素原子数７ないし１２のフェニルアルキル基、炭素原子数１ないし８のアシル基、炭素原子数１ないし１８のアルコキシ基、炭素原子数５ないし１２のシクロアルコキシ基、未置換の、またはフェニル基上で炭素原子数１ないし４のアルキル基もしくは炭素原子数１ないし４のアルコキシ基１、２もしくは３個により置換された炭素原子数７ないし１２のフェニルアルコキシ基、炭素原子数１ないし１８のアルカ
ノイルオキシ基、グリシジル基または基−ＣＨ2ＣＨ（ＯＨ）（Ｇ）（式中、Ｇは水素原
子、メチル基またはフェニル基を表す。）を表わし、Ｒ2は炭素原子数２ないし１４のア
ルキレン基または基−ＣＲ2'（Ｒ2''）−（Ｒ2'およびＲ2''は互いに独立して水素原子、炭素原子数１ないし１８のアルキル基または炭素原子数５ないし１２のシクロアルキル基を表す。）を表し、Ｒ3'およびＲ3''は互いに独立して水素原子、炭素原子数１ないし１
８のアルキル基、酸素原子により中断された炭素原子数２ないし１８のアルキル基、または炭素原子数５ないし１２のシクロアルキル基を表し、Ｒ4は炭素原子数２ないし１４の
アルキレン基、酸素原子もしくはイオウ原子により中断された炭素原子数４ないし１４のアルキレン基、炭素原子数５ないし７のシクロアルキレン基、炭素原子数５ないし７のシクロアルキレンジ（炭素原子数１ないし４のアルキレン）基、炭素原子数１ないし４のアルキレンジ（炭素原子数５ないし７のシクロアルキレン）基またはフェニレンジ（炭素原子数１ないし４のアルキレン）基を表わし、Ｒ5''は水素原子、炭素原子数１ないし１８
のアルキル基、炭素原子数３ないし１８のアルケニル基、未置換の、または炭素原子数１ないし４のアルキル基１、２もしくは３個により置換された炭素原子数５ないし１２のシクロアルキル基、未置換の、またはフェニル基上で炭素原子数１ないし４のアルキル基１、２もしくは３個により置換された炭素原子数７ないし１２のフェニルアルキル基、テトラヒドロフルフリル基、次式（ＩＩ）
【化６】
2002530402.tif 000006
で表される基、または２、３もしくは４位において、−ＯＨ、炭素原子数１ないし８のアルコキシ基、ジ（炭素原子数１ないし４のアルキル）アミノ基もしくは次式（ＩＩＩ）
【化７】
2002530402.tif 000007
（式中、Ｅは直接結合、−Ｏ−、−ＣＨ2−、−ＣＨ2ＣＨ2−または＞Ｎ−ＣＨ3を表す。）で表される基により置換された炭素原子数２ないし４のアルキル基を表す。〕で表される化合物。
【請求項６】 次式（Ｚ−２）
【化８】
2002530402.tif 000008
〔式中、Ｇ1、Ｇ2、Ｇ3およびＧ4は互いに独立して炭素原子数１ないし１８のアルキル基
または炭素原子数５ないし１２のシクロアルキル基を表すか、あるいは基Ｇ1およびＧ2、ならびに基Ｇ3およびＧ4は互いに独立して、それらが結合している炭素原子と一緒になって炭素原子数５ないし１２のシクロアルキル基を形成し、Ｒ1は水素原子、炭素原子数１
ないし１８のアルキル基、オキシル基、−ＯＨ、−ＣＨ2ＣＮ、炭素原子数３ないし６の
アルケニル基、炭素原子数３ないし８のアルキニル基、未置換の、またはフェニル基上で炭素原子数１ないし４のアルキル基もしくは炭素原子数１ないし４のアルコキシ基１、２もしくは３個により置換された炭素原子数７ないし１２のフェニルアルキル基、炭素原子数１ないし８のアシル基、炭素原子数１ないし１８のアルコキシ基、炭素原子数５ないし１２のシクロアルコキシ基、未置換の、またはフェニル基上で炭素原子数１ないし４のアルキル基もしくは炭素原子数１ないし４のアルコキシ基１、２もしくは３個により置換された炭素原子数７ないし１２のフェニルアルコキシ基、炭素原子数１ないし１８のアルカノイルオキシ基、グリシジル基または基−ＣＨ2ＣＨ（ＯＨ）（Ｇ）（式中、Ｇは水素原
子、メチル基またはフェニル基を表す。）を表わし、Ｒ2は炭素原子数２ないし１４のア
ルキレン基または基−ＣＲ2'（Ｒ2''）−（Ｒ2'およびＲ2''は互いに独立して水素原子、炭素原子数１ないし１８のアルキル基または炭素原子数５ないし１２のシクロアルキル基を表す。）を表し、Ｒ3''は水素原子、炭素原子数１ないし１８のアルキル基、酸素原子
により中断された炭素原子数２ないし１８のアルキル基、または炭素原子数５ないし１２のシクロアルキル基を表す。〕で表される化合物。